(57)【要約】【課題】プリントされた写真が注文端末の配設された場所に対応して自動的に仕分けされて収納されるので、手間をかけることなくプリントされた写真を顧客毎に受け渡すことができるようにする。【解決手段】画像のプリント注文及び画像データを送信する注文端末と、前記画像をプリントして写真を作成し、該写真を前記注文端末の配設された場所に対応して仕分けして収納するプリント仕分け装置２０とを有する。【選択図】　　　　　図１
2004139387.tif 000002
【特許請求の範囲】
【請求項１】
（ａ）画像のプリント注文及び画像データを送信する注文端末と、
（ｂ）前記画像をプリントして写真を作成し、該写真を前記注文端末の配設された場所に対応して仕分けして収納するプリント仕分け装置とを有することを特徴とするプリント仕分けシステム。
【請求項２】
前記注文端末は、メディアリーダ又はピクチャークレードルを備え、デジタルカメラの画像を取得し、該画像のプリント注文及び画像データを送信する請求項１に記載のプリント仕分けシステム。
【請求項３】
前記注文端末は、インターネットを経由して取得したコンテンツの画面、ゲームの画面等の画像を取得し、該画像のプリント注文及び画像データを送信する請求項１に記載のプリント仕分けシステム。
【請求項４】
カラオケボックス、ホテル、レストラン、ゲームセンタ等の滞留型商業施設に配設される請求項１〜３のいずれか１項に記載のプリント仕分けシステム。
【請求項５】
（ａ）画像をプリントして写真を作成するプリンタと、
（ｂ）前記写真を仕分けして収納するスタッカとを有し、
（ｃ）前記画像のプリント注文及び画像データを送信する注文端末の配設された場所と前記スタッカとを対応させ、
（ｄ）前記写真を前記注文端末の配設された場所に対応するスタッカに収納することを特徴とするプリント仕分け装置。
【請求項６】
カラオケボックス、ホテル、レストラン、ゲームセンタ等の滞留型商業施設におけるレジ又は該レジの周辺に配設される請求項５に記載のプリント仕分け装置。
【発明の詳細な説明】
【０００１】
【発明の属する技術分野】
本発明は、プリント仕分けシステム及び装置に関するものである。
【０００２】
【従来の技術】
従来、カラオケボックス、ホテル、レストラン、ゲームセンタ等の滞留型商業施設に配設されたデジタルカメラによって撮影された画像を、印画紙等の媒体にプリントし、顧客は、前記滞留型商業施設のレジ等においてプリントされた写真を受け取ることができるエンタテイメント情報サービスが提供されている。
【０００３】
図２は従来のプリントシステムの構成を示す図である。
【０００４】
図において、１００は、は滞留型商業施設としてのカラオケボックスに配設されたプリントシステムである。そして、１１１は該プリントシステム１００の管理と、プリント注文を受け付けたプリントデータの管理及び保存を行う管理サーバ、１１０はインターネットに接続された衛星ルータ（Ｒｏｕｔｅｒ）である。１２０は前記カラオケボックスの個室内に配設された注文端末であり、デジタルカメラの画像を読み込む図示されないメディアリーダを備える。また、前記注文端末１２０はカラオケボックス内において顧客が利用するテーブル１２１上に配設されている。なお、該テーブル１２１の周囲には座席１２２が配設されている。
【０００５】
また、１３０はコンテンツ、クーポン、写真等を印刷するための印刷用プリンタ、１４０は前記カラオケボックスにおいて受けたサービスの会計処理を行うＰＯＳ（Ｐｏｉｎｔ　ｏｆ　Ｓａｌｅｓ）端末である。そして、前記管理サーバ１１１、衛星ルータ１１０、注文端末１２０、印刷用プリンタ１３０及びＰＯＳ端末１４０は、それぞれ、ネットワーク１５０に通信可能に接続されている。
【０００６】
ここで、顧客がエンタテイメント情報サービスの一つである写真印刷サービスを受ける場合、前記顧客は前記注文端末１２０のメディアリーダを使用して、デジタルカメラによって撮影されメディアに格納されたデジタル画像を前記注文端末１２０に読み込ませる。続いて、前記顧客が注文端末１２０を操作してプリントしたい画像と、プリント枚数を選択して、プリント注文を行うと、選択された画像、プリント枚数の指定等の情報を含むプリントデータが前記注文端末１２０から管理サーバ１１１に送信される。そして、該管理サーバ１１１は、プリント注文を受け付けてプリントデータを受信すると、印刷用プリンタ１３０にデジタル画像を送信して、顧客が選択した画像を指定されたプリント枚数だけプリントさせるようになっている。これにより、前記顧客は、レジにおいてカラオケボックスの使用料等の代金の精算を行う際に、前記写真の代金も併せて支払うことによって、印刷用プリンタ１３０によってプリントされた写真を受け取ることができる。
【０００７】
しかし、前記管理サーバ１１１が複数の注文端末１２０からのプリント注文を受け付けた場合、印刷用プリンタ１３０によってプリントされた写真がすべて同じスタッカに収納されるので、レジにおいて写真を顧客に渡す際に、前記スタッカに収納された写真を仕分けしなくてはならず、手間がかかってしまう。
【０００８】
そこで、プリントされた写真をプリント注文毎に仕分けして複数のスタッカに収納する写真受渡装置（例えば、特許文献１参照。）を使用するプリントシステムが提案されている。前記写真受渡装置においては、プリントされた写真がプリント注文毎に仕分けされているので、レジにおいて人手によってプリントされた写真を仕分けする必要がなく、手間をかけることなく写真の受け渡しをすることができる。
【０００９】
【特許文献１】
特願２００２−０１５１９８明細書
【００１０】
【発明が解決しようとする課題】
しかしながら、前記従来のプリントシステムにおいては、前記写真受渡装置を使用しても、スタッカに写真を収納する際に、プリント注文を識別するための識別情報を入力する必要があり、手間がかかってしまう。また、同じ顧客が複数回に分けてプリント注文を行った場合、同じ顧客の写真がプリント注文毎に別のスタッカに収納されてしまう。
【００１１】
本発明は、前記従来の問題点を解決して、プリントされた写真が注文端末の配設された場所に対応して自動的に仕分けされて収納されるので、手間をかけることなくプリントされた写真を顧客毎に受け渡すことができるプリント仕分けシステム及び装置を提供することを目的とする。
【００１２】
【課題を解決するための手段】
そのために、本発明のプリント仕分けシステムにおいては、画像のプリント注文及び画像データを送信する注文端末と、前記画像をプリントして写真を作成し、該写真を前記注文端末の配設された場所に対応して仕分けして収納するプリント仕分け装置とを有する。
【００１３】
本発明の他のプリント仕分けシステムにおいては、さらに、前記注文端末は、メディアリーダ又はピクチャークレードルを備え、デジタルカメラの画像を取得し、該画像のプリント注文及び画像データを送信する。
【００１４】
本発明の更に他のプリント仕分けシステムにおいては、さらに、前記注文端末は、インターネットを経由して取得したコンテンツの画面、ゲームの画面等の画像を取得し、該画像のプリント注文及び画像データを送信する。
【００１５】
本発明の更に他のプリント仕分けシステムにおいては、さらに、カラオケボックス、ホテル、レストラン、ゲームセンタ等の滞留型商業施設に配設される。
【００１６】
本発明のプリント仕分け装置においては、画像をプリントして写真を作成するプリンタと、前記写真を仕分けして収納するスタッカとを有し、前記画像のプリント注文及び画像データを送信する注文端末の配設された場所と前記スタッカとを対応させ、前記写真を前記注文端末の配設された場所に対応するスタッカに収納する。
【００１７】
本発明の他のプリント仕分け装置においては、さらに、カラオケボックス、ホテル、レストラン、ゲームセンタ等の滞留型商業施設におけるレジ又は該レジの周辺に配設される。
【００１８】
【発明の実施の形態】
以下、本発明の実施の形態について図面を参照しながら詳細に説明する。
【００１９】
図１は本発明の実施の形態におけるプリント仕分けシステムの構成を示す図である。
【００２０】
図において、１０は本実施の形態におけるプリント仕分けシステムであり、内部ネットワークとしてのネットワーク１３に通信可能に接続された管理サーバ１１、ルータ１２、レジ端末１４、プリント仕分け装置２０、注文端末３０ａ及び注文端末３０ｂを有する。そして、前記プリント仕分けシステム１０は、カラオケボックス、ホテル、レストラン、ゲームセンタ等のように、顧客が一ケ所にある程度の時間滞留する滞留型商業施設に配設され、前記顧客に対してエンタテイメント情報サービスを提供する。
【００２１】
ここで、注文端末３０ａ及び注文端末３０ｂは、キーボード、マウス、ジョイスティック、ジョグダイヤル、リモートコントローラ、押しボタン、ゲームコントローラ等の入力手段、ＣＲＴ、液晶ディスプレイ、ＬＥＤ（Ｌｉｇｈｔ　Ｅｍｉｔｔｉｎｇ　Ｄｉｏｄｅ）ディスプレイ等の表示手段、スピーカ等の音声出力手段等を備えるコンピュータ端末である。なお、前記表示手段は、いわゆる、タッチパネルであって、入力手段としての機能を有するものであってもよい。本実施の形態において、前記注文端末３０ａ及び注文端末３０ｂは、前記滞留型商業施設内のテーブル３５ａ及びテーブル３５ｂ上に配設され、座席３６ａ及び座席３６ｂに座った顧客が操作するようになっている。ここで、前記テーブル３５ａ及びテーブル３５ｂは、前記滞留型商業施設がレストランである場合は食事用のテーブルであり、前記滞留型商業施設がカラオケボックスである場合は個々の個室内のテーブルであり、前記滞留型商業施設がホテルである場合は個々の客室内のテーブルである。なお、前記注文端末３０ａ及び注文端末３０ｂは、必ずしもテーブル３５ａ及びテーブル３５ｂ上に配設される必要はなく、例えば、カラオケボックスの個室や客室の壁等、いかなる場所に配設されてもよい。
【００２２】
そして、前記注文端末３０ａ及び注文端末３０ｂは、顧客に対してエンタテイメント情報も提供することのできる多機能端末であり、例えば、飲食物のメニューを選択可能に表示して顧客の注文を受け付ける注文受付端末、カラオケの歌詞やイメージビデオを映し出すカラオケ用モニタ、テレビ番組を映し出すテレビ受像器、ゲームの画面を表示手段に表示するゲーム端末、インターネットに接続することができるインターネット接続端末、ビデオカメラ、デジタルカメラ等の画像を映し出すモニタ端末等として機能する。さらに、前記注文端末３０ａ及び注文端末３０ｂは、顧客が操作してプリント注文を行うと、ビデオカメラ、デジタルカメラ等の画像、表示手段に表示されたインターネットを経由して取得した各種コンテンツの画面、ゲームのスコアが表示された画面、保存したゲームを再開するためのパスワードの表示された画面等の画像をプリント仕分け装置２０に内蔵された後述されるプリンタ２３に印刷させる機能を有する。また、前記注文端末３０ａ及び注文端末３０ｂ、テーブル３５ａ及びテーブル３５ｂ、並びに、座席３６ａ及び座席３６ｂは、単数であってもよいし、三つ以上であってもよい。なお、注文端末３０ａ及び注文端末３０ｂ、テーブル３５ａ及びテーブル３５ｂ、並びに、座席３６ａ及び座席３６ｂを統合的に説明する場合には、それぞれ、注文端末３０、テーブル３５、及び、座席３６として説明する。
【００２３】
また、前記管理サーバ１１は、ＣＰＵ、ＭＰＵ等の演算手段、磁気ディスク、半導体メモリ等の記憶手段、通信インターフェイス等を備えるコンピュータであり、ルータ１２、レジ端末１４、プリント仕分け装置２０、注文端末３０等の動作を総合的に管理する。そして、前記管理サーバ１１は、大型の汎（はん）用機であっても、パーソナルコンピュータであっても、ワークステーションであってもよい。また、前記管理サーバ１１は、独立して構成されたものであっても、複数のサーバを有機的に結合した分散型サーバであってもよい。さらに、前記管理サーバ１１は、他のコンピュータと一体的に構成されたものであってもよいし、大型コンピュータの中に構築された複数のシステムの中の一つであってもよい。
【００２４】
そして、前記ネットワーク１３は前記滞留型商業施設内に構築されたＬＡＮ（Ｌｏｃａｌ　Ａｒｅａ　Ｎｅｔｗｏｒｋ）、イントラネット等であり、前記ルータ１２を介して、インターネット等の図示されない外部ネットワークに接続されている。これにより、インターネット上に開設されたＡＳＰ（Ａｐｐｌｉｃａｔｉｏｎ　Ｓｅｒｖｉｃｅ　Ｐｒｏｖｉｄｅｒ）、ホームページ等から、ゲーム、画像等各種のコンテンツをダウンロードして、注文端末３０の表示手段に表示することができる。なお、前記ルータ１２が衛星ルータであり、放送衛星や通信衛星からの情報を受信可能なものである場合には、衛星通信網を介して提供される各種のコンテンツを注文端末３０の表示手段に表示することができる。
【００２５】
また、前記レジ端末１４は、前記滞留型商業施設のレジに配設された端末であり、前記滞留型商業施設において販売した商品や提供したサービスの代金の精算を行う機能を有するものであり、例えば、ＰＯＳシステムに接続されたＰＯＳ端末である。本実施の形態において、前記レジ端末１４は顧客が注文端末３０を操作して、ビデオカメラ、デジタルカメラ等の画像、各種コンテンツの画面、ゲームのスコアが表示された画面、保存したゲームを再開するためのパスワードの表示された画面等のプリント注文を行うと、プリントの代金を集計するようになっている。
【００２６】
そして、前記プリント仕分け装置２０は、前記滞留型商業施設のレジ又は該レジの周辺に配設され、プリント注文に応じて画像を印刷媒体にプリントし、プリントされた写真を前記注文端末３０の配設された場所毎に仕分けして収納する。そして、前記レジにおいてプリントされた写真の代金が支払われると、プリント注文をした顧客はプリントされた写真を受け取ることができる。なお、前記プリント仕分け装置２０は、レジ端末１４からの印刷指令によってクーポン、領収書等を印刷することもできる。
【００２７】
次に、前記プリント仕分け装置２０の構成を説明する。
【００２８】
図３は本発明の実施の形態におけるプリント仕分け装置の構成を示す図である。
【００２９】
正面斜視図としての図３（ａ）に示されるように、プリント仕分け装置２０には、プリントされた写真、印刷されたクーポン、領収書等を仕分けして収納しておく複数のスタッカ２１、プリント仕分け装置２０の状態を表示する表示パネル２２が配設されている。ここでは、該表示パネル２２が入力手段と表示手段との機能を兼ね備えるタッチパネルである場合について説明する。そして、前記表示パネル２２の画面には、顧客に対する案内等の各種情報が表示されるとともに、画面に表示されたキー等に顧客が触れる、すなわち、タッチすることによって必要な事項を入力することができるようになっている。
【００３０】
そして、側断面図としての図３（ｂ）に示されるように、プリント仕分け装置２０には、ビデオカメラ、デジタルカメラ等の画像、表示手段に表示されたインターネットを経由して取得した各種コンテンツの画面、ゲームのスコアが表示された画面、保存したゲームを再開するためのパスワードの表示された画面等の画像を印刷媒体にプリントするプリンタ２３が配設される。ここで、該プリンタ２３は、例えば、熱昇華性のインクを使用するリボンプリンタであるが、インクジェット式プリンタ、電子写真式プリンタ等いかなる形式のプリンタであってもよい。また、前記プリンタ２３は、クーポン、領収書等を印刷媒体に印刷することもできる。
【００３１】
さらに、前記プリント仕分け装置２０には、前記プリンタ２３から排出されたプリントされた写真を保持し、所定のスタッカ２１まで移動した後、前記写真をスタッカ２１に収納するキャリア２４、制御部２５、電源２６が配設されている。ここで、前記制御部２５は、ＣＰＵ、ＭＰＵ等の演算手段、磁気ディスク、半導体メモリ等の記憶手段、入出力インターフェイス、通信インターフェイス等を備えるコンピュータであり、プリント仕分け装置２０のすべての動作を制御する。これにより、前記注文端末３０の配設された場所と前記スタッカ２１とを対応させ、プリンタ２３から排出されたプリントされた写真は、注文端末３０の配設された場所に対応するスタッカ２１に仕分けして収納される。なお、それぞれのスタッカ２１には、写真や印刷媒体等が収納されているか否かを検出する図示されない媒体有無センサが配設されている。
【００３２】
次に、前記注文端末３０の構成について説明する。
【００３３】
図４は本発明の実施の形態における注文端末の構成を示す図である。
【００３４】
図に示されるように、注文端末３０は、ＰＣカード、メモリカード、棒状メモリ等のビデオカメラやデジタルカメラで使用される記憶媒体としてのメディアに格納された画像を読み込むためのメディアリーダ３２、ビデオカメラやデジタルカメラを載置すると前記ビデオカメラやデジタルカメラと通信するピクチャークレードル３３、及び、飲食物のメニュー、テレビ番組、ゲームの画面、インターネット経由で配信されるコンテンツ、ビデオカメラ、デジタルカメラ等の画像等を表示する表示手段としての表示パネル３１を備える。ここでは、該表示パネル３１が入力手段と表示手段との機能を兼ね備えるタッチパネルである場合について説明する。そして、前記表示パネル３１の画面には、顧客に対する案内等の各種情報が表示されるとともに、画面に表示されたキー等に顧客が触れる、すなわち、タッチすることによって必要な事項を入力することができるようになっている。なお、前記ビデオカメラ及びデジタルカメラは、ＣＣＤ（Ｃｈａｒｇｅ　Ｃｏｕｐｌｅｄ　Ｄｅｖｉｃｅ）等の撮像手段、半導体メモリ等の記憶手段、通信インターフェイス等を備え、撮像した画像を電子データの形態で出力することができるものであれば、いかなる形態のものであってもよい。また、前記ビデオカメラ及びデジタルカメラは、ＰＣカード、メモリカード、棒状メモリ等の取り外し可能なメディアを備え、該メディアに前記画像データを格納することができるものであることが望ましい。この場合、前記ビデオカメラ及びデジタルカメラは、必ずしも前記注文端末３０に接続される必要が無く、前記メディアをメディアリーダ３２にセットすることによって、メディアに格納された画像データを注文端末３０に送信することができる。
【００３５】
そして、前記注文端末３０は、前記メディアリーダ３２やピクチャークレードル３３を介して、前記ビデオカメラ及びデジタルカメラの画像データを取得し、画像をサムネイルの形式で表示する。そして、顧客がサムネイルに含まれる画像を指等でタッチして選択し、選択した画像のプリント注文を行うことができる。また、表示パネル３１に表示されたインターネット等を経由して取得した各種コンテンツの画面、ゲームのスコアが表示された画面、保存したゲームを再開するためのパスワードの表示された画面等の画像を取得して、プリント仕分け装置２０のプリンタ２３にプリントさせることができる。
【００３６】
次に、前記構成のプリントシステム１０の動作について説明する。ここでは、カラオケボックスの個室において、デジタルカメラの画像をプリントする場合の動作について説明する。まず、画像のプリント注文時の注文端末３０の動作について説明する。
【００３７】
図５は本発明の実施の形態におけるプリント注文時の注文端末の動作を示すフローチャートである。
【００３８】
まず、顧客が注文端末３０のメディアリーダ３２にデジタルカメラのメディアをセットし、又は、ピクチャークレードル３３にデジタルカメラをセットし、前記注文端末３０を操作して画像のプリント注文を行うと、前記注文端末３０はスタッカ予約を行い、プリント仕分け装置２０から受信したメッセージに基づいて、プリント仕分け装置２０におけるスタッカ２１がすべて使用されているか、すなわち、スタッカフルの状態であるか否かを判断する。そして、スタッカフルである場合、前記注文端末３０は表示パネル３１に印刷不可メッセージを表示して、顧客に画像をプリントすることができない旨を報知して、処理を終了する。
【００３９】
また、スタッカフルでない場合、前記注文端末３０は、メディアリーダ３２にセットされたメディアから、又は、ピクチャークレードル３３にセットされたデジタルカメラから画像データを読み取り、表示パネル３１に表示する。この場合、画像はサムネイルの形式で表示される。続いて、顧客はサムネイルに含まれる画像を指等でタッチして選択し、印刷画像の選択を行う。なお、印刷枚数も指定することができる。すると、前記注文端末３０はプリント注文としての印刷指示及び選択された印刷画像の画像データをプリント仕分け装置２０に送信する。
【００４０】
次に、フローチャートについて説明する。
ステップＳ１　スタッカ予約を行う。
ステップＳ２　プリント仕分け装置２０がスタッカフルであるか否かを判断する。スタッカフルである場合はステップＳ３に進み、スタッカフルでない場合はステップＳ４に進む。
ステップＳ３　表示パネル３１に印刷不可メッセージを表示する。
スッテプＳ４　メディアリーダ３２及びピクチャークレードル３３によって画像を読み取る。
ステップＳ５　読み取った画像を注文端末３０の表示パネル３１にサムネイルの形式で表示する。
ステップＳ６　表示された画像から、印刷画像と枚数を選択する。
ステップＳ７　印刷指示と印刷画像の画像データをプリント仕分け装置２０に送信する。
【００４１】
次に、スタッカ予約のサブルーチンについて説明する。
【００４２】
図６は本発明の実施の形態におけるスタッカ予約のサブルーチンを示すフローチャートである。
【００４３】
ここで、ＩＤＥは識別番号、Ｎはプリント仕分け装置２０内に配設されたスタッカ２１の数、ＣＯＵＮＴはカウンタである。また、ＥＭＰは空のスタッカ２１に付与されたナンバー、ＳＴＫ（１〜Ｎ）はスタッカ識別用配列変数である。なお、スタッカ識別用配列変数ＳＴＫの括弧内の１〜Ｎは、スタッカ２１の中に入っている写真の注文元である注文端末３０に付与されたナンバーである。そして、スタッカ２１が空である場合は前記括弧内に０が入り、ＳＴＫ（０）となる。
【００４４】
まず、プリント仕分け装置２０は、注文端末３０からスタッカ予約状況の問合せを受信すると、該スタッカ予約状況の問合せを送信した注文端末３０、すなわち、注文元の注文端末３０が配設されているカラオケボックスの個室のルームナンバーをＩＤＥに入れ、ＣＯＵＮＴの値をＮに設定する。
【００４５】
続いて、プリント仕分け装置２０は、ＥＭＰの値を０に設定し、ＳＴＫ（ＣＯＵＮＴ）の値がＩＤＥであるか否かを判断する。そして、ＳＴＫ（ＣＯＵＮＴ）の値がＩＤＥである場合、プリント仕分け装置２０は注文元の注文端末３０にスタッカ予約済みを送信してサブルーチンを終了する。また、ＳＴＫ（ＣＯＵＮＴ）の値がＩＤＥでない場合、プリント仕分け装置２０はＳＴＫ（ＣＯＵＮＴ）の値が０であるか否かを判断する。そして、ＳＴＫ（ＣＯＵＮＴ）の値が０である場合、ＥＭＰにＣＯＵＮＴの値を入力する。続いて、プリント仕分け装置２０は、ＣＯＵＮＴの値から１を減算して、ＣＯＵＮＴの値を更新する。
【００４６】
そして、プリント仕分け装置２０は、ＣＯＵＮＴの値が０である否かを判断する。そして、ＣＯＵＮＴの値が０でない場合は、再度、ＳＴＫ（ＣＯＵＮＴ）の値がＩＤＥであるか否かを判断し、ＣＯＵＮＴの値が０になるまで前述された動作を繰り返す。また、ＣＯＵＮＴの値が０である場合、プリント仕分け装置２０は、ＥＭＰの値が０であるか否かを判断する。そして、ＥＭＰの値が０である場合、注文元の注文端末３０にスタッカフルのメッセージを送信して処理を終了する。
【００４７】
また、ＥＭＰの値が０でない場合、プリント仕分け装置２０はＳＴＫ（ＥＭＰ）にＩＤＥの値を入力し、注文元の注文端末３０にスタッカ２１を予約したこと、すなわち、スタッカ予約済みを送信する。
【００４８】
次に、フローチャートについて説明する。
スッテプＳ１−１　スタッカ予約状況の問合せをしたルームナンバーをＩＤＥに入れる。
ステップＳ１−２　ＣＯＵＮＴの値をＮに設定する。
ステップＳ１−３　ＥＭＰの値を０に設定する。
ステップＳ１−４　ＳＴＫ（ＣＯＵＮＴ）の値がＩＤＥであるか否かを判断する。ＳＴＫ（ＣＯＵＮＴ）の値がＩＤＥである場合はステップＳ１−５に進み、ＳＴＫ（ＣＯＵＮＴ）の値がＩＤＥでない場合はステップＳ１−６に進む。
ステップＳ１−５　注文元の注文端末３０に、スタッカ予約済みを送信する。
ステップＳ１−６　ＳＴＫ（ＣＯＵＮＴ）の値が０であるか否かを判断する。ＳＴＫ（ＣＯＵＮＴ）の値が０である場合はステップＳ１−７に進み、ＳＴＫ（ＣＯＵＮＴ）の値が０でない場合はステプＳ１−８に進む。
ステップＳ１−７　ＥＭＰにＣＯＵＮＴの値を入力する。
ステップＳ１−８　ＣＯＵＮＴの値から１を減算し、ＣＯＵＮＴの値を更新する。
ステップＳ１−９　ＣＯＵＮＴの値が０であるか否かを判断する。ＣＯＵＮＴの値が０である場合はステップＳ１−１０に進み、ＣＯＵＮＴの値が０でない場合はステップＳ１−４に戻る。
ステップＳ１−１０　ＥＭＰの値が０であるか否かを判断する。ＥＭＰの値が０である場合はステップＳ１−１１に進み、ＥＭＰの値が０でない場合はステップＳ１−１２に進む。
ステップＳ１−１１　注文元の注文端末３０にスタッカフルのメッセージを送信する。
ステップＳ１−１２　ＳＴＫ（ＥＭＰ）にＩＤＥの値を入力する。
ステップＳ１−１３　注文元の注文端末３０にスタッカ予約済みを送信する。
【００４９】
次に、印刷注文時のプリント仕分け装置２０の動作について説明する。
【００５０】
図７は本発明の実施の形態におけるプリント注文時のプリント仕分け装置の動作を示すフローチャートである。
【００５１】
まず、プリント仕分け装置２０は、注文元の注文端末３０が配設されているカラオケボックスの個室のルームナンバーをＩＤＥに入れ、ＣＯＵＮＴの値をＮに設定する。
【００５２】
次に、プリント仕分け装置２０は、ＳＴＫ（ＣＯＵＮＴ）の値がＩＤＥであるか否かを判断する。そして、ＩＤＥでない場合、プリント仕分け装置２０は、ＣＯＵＮＴの値から１を減算して、ＣＯＵＮＴの値を更新し、ＳＴＫ（ＣＯＵＮＴ）の値がＩＤＥになるまで、ＳＴＫ（ＣＯＵＮＴ）の値がＩＤＥであるか否かを判断する動作を繰り返す。
【００５３】
そして、ＳＴＫ（ＣＯＵＮＴ）の値がＩＤＥである場合、プリント仕分け装置２０は、ＫにＣＯＵＮＴの値を設定し、プリント注文を受け付けた画像をプリントして、ＣＯＵＮＴの値であるナンバーＫのスタッカ２１に収納して、処理を終了する。
【００５４】
次に、フローチャートについて説明する。
ステップＳ２５　注文元の注文端末３０のルームナンバーをＩＤＥに入力する。
ステップＳ２６　ＣＯＵＮＴの値をＮに設定する。
ステップＳ２７　ＳＴＫ（ＣＯＵＮＴ）の値がＩＤＥであるか否かを判断する。
ＳＴＫ（ＣＯＵＮＴ）の値がＩＤＥである場合はステップＳ２９に進み、ＳＴＫ（ＣＯＵＮＴ）の値がＩＤＥでない場合はステプＳ２８に進む。
ステップＳ２８　ＣＯＵＮＴの値から１を減算し、ＣＯＵＮＴの値を更新する。
ステップＳ２９　ＫにＣＯＵＮＴの値を設定する。
ステップＳ３０　プリント注文を受け付けた画像をプリントして、ＣＯＵＮＴの値であるナンバーＫのスタッカ２１に収納する。
【００５５】
次に、カラオケボックスの個室を使用した代金の精算を行う時のレジ端末１４の動作を示すフローチャートについて説明する。
【００５６】
図８は本発明の実施の形態における代金の精算を行う時のレジ端末の動作を示すフローチャートである。
【００５７】
まず、カラオケボックスのレジ係員はレジ端末１４に顧客が使用した個室のルームナンバーを入力する。すると、レジ端末１４は、ルームナンバーをＩＤＥに入れる。続いて、レジ端末１４は、前記個室における画像のプリント以外の代金、例えば、個室の使用料、飲食代等の会計計算を行う。そして、レジ端末１４は、前記個室に配設された注文端末３０で注文した画像のプリントをしたか否かを判断する。プリントをしていない場合、前記レジ係は顧客から会計計算を行った代金を徴収して処理を終了する。また、プリントをした場合、レジ端末１４は、プリント代を精算し、前記会計計算を行った代金にプリント代を加算する。そして、前記レジ係は顧客からプリント代を加算した代金を徴収する。
【００５８】
続いて、レジ端末１４は、ＣＯＵＮＴの値をＮに設定し、ＳＴＫ（ＣＯＵＮＴ）の値がＩＤＥであるか否かを判断する。ＩＤＥでない場合、プリント仕分け装置２０は、ＣＯＵＮＴの値から１を減算してＣＯＵＮＴの値を更新し、ＳＴＫ（ＣＯＵＮＴ）の値がＩＤＥになるまで、ＳＴＫ（ＣＯＵＮＴ）の値がＩＤＥであるか否かを判断する動作を繰り返す。
【００５９】
また、ＳＴＫ（ＣＯＵＮＴ）の値がＩＤＥである場合、レジ端末１４は、ＫにＣＯＵＮＴの値を設定し、ナンバーＫのスタッカ２１に配設されている媒体有無センサであるＰＤ（Ｋ）の検出動作を開始させる。これにより、ＰＤ（Ｋ）は監視をスタートする。そして、レジ端末１４は、ＰＤ（Ｋ）の出力がＯＦＦになったか否か、すなわち、ナンバーＫのスタッカ２１からプリントされた写真が取り出されたか否かを判断する。そして、ＰＤ（Ｋ）の出力がＯＮである場合はＰＤ（Ｋ）　の出力がＯＦＦになるまで、判断する動作を繰り返す。また、ＰＤ（Ｋ）の出力がＯＦＦである場合はＳＴＫ（Ｋ）に０を入力して処理を終了する。
【００６０】
次に、フローチャートについて説明する。
ステップＳ３０　レジ端末１４に、顧客が使用したルームナンバーを入力する。
ステップＳ３１　ＩＤＥにルームナンバーを入力する。
ステップＳ３２　プリント以外の代金の会計計算を行う。
ステップＳ３３　この注文端末３０でプリントをしたか否かを判断する。プリントした場合はステップＳ３５に進み、プリントしていない場合はステップＳ３４に進む。
ステップＳ３４　顧客から代金を徴収する。
ステップＳ３５　プリント代を精算する。
ステップＳ３６　プリント代を会計計算に加算する。
ステップＳ３７　顧客から代金を徴収する。
ステップＳ３８　ＣＯＵＮＴの値にＮを設定する。
ステップＳ３９　ＳＴＫ（ＣＯＵＮＴ）の値がＩＤＥであるか否かを判断する。
ＳＴＫ（ＣＯＵＮＴ）の値がＩＤＥである場合はステップＳ４１に進み、ＳＴＫ（ＣＯＵＮＴ）の値がＩＤＥでない場合はステップＳ４０に進む。
ステップＳ４０　ＣＯＵＮＴＮの値から１を減算し、ＣＯＵＮＴの値を更新して、ステップＳ３９に戻る。
ステップＳ４１　ＫにＣＯＵＮＴの値を設定する。
ステップＳ４２　媒体有無センサＰＤ（Ｋ）の監視を開始する。
ステップＳ４３　ＰＤ（Ｋ）がＯＦＦであるか否かを判断する。ＯＮの場合はＯＦＦになるまで待機し、ＯＦＦの場合はステップＳ４４に進む。
ステップＳ４４　ＳＴＫ（Ｋ）に０を入力する。
【００６１】
このように、本実施の形態においては、滞留型商業施設において、顧客が注文端末３０を操作して、ビデオカメラ、デジタルカメラ等の画像、表示手段に表示されたインターネットを経由して取得した各種コンテンツの画面、ゲームのスコアが表示された画面、保存したゲームを再開するためのパスワードの表示された画面等の画像のプリント注文を行うと、プリント仕分け装置２０によってプリントされ、プリントされた写真が注文端末３０の配設された場所に対応するスタッカ２１に仕分けして収納されるようになっている。この場合、注文端末３０の配設された場所とスタッカ２１との対応付けは、プリント仕分け装置２０によって自動的に行われる。
【００６２】
そのため、プリントされた写真が注文端末３０の配設された場所に対応して、自動的に仕分けされてスタックされるので、レジにおいて人手によってプリントされた写真を仕分けする必要がなく、また、プリント注文を識別するための識別情報を入力する必要もなく、手間をかけることなくプリントされた写真を顧客毎に受け渡すことができる。
【００６３】
なお、本発明は前記実施の形態に限定されるものではなく、本発明の趣旨に基づいて種々変形させることが可能であり、それらを本発明の範囲から排除するものではない。
【００６４】
【発明の効果】
以上詳細に説明したように、本発明によれば、プリントされた写真が注文端末の配設された場所に対応して自動的に仕分けされてスタックされるので、手間をかけることなくプリントされた写真を顧客毎に受け渡すことができる。
【図面の簡単な説明】
【図１】本発明の実施の形態におけるプリント仕分けシステムの構成を示す図である。
【図２】従来のプリントシステムの構成を示す図である。
【図３】本発明の実施の形態におけるプリント仕分け装置の構成を示す図である。
【図４】本発明の実施の形態における注文端末の構成を示す図である。
【図５】本発明の実施の形態におけるプリント注文時の注文端末の動作を示すフローチャートである。
【図６】本発明の実施の形態におけるスタッカ予約のサブルーチンを示すフローチャートである。
【図７】本発明の実施の形態におけるプリント注文時のプリント仕分け装置の動作を示すフローチャートである。
【図８】本発明の実施の形態における代金の精算を行う時のレジ端末の動作を示すフローチャートである。
【符号の説明】
１０　　プリント仕分けシステム
２０　　プリント仕分け装置
２１　　スタッカ
２３　　プリンタ
３０、３０ａ、３０ｂ　　注文端末
３２　　メディアリーダ
３３　　ピクチャークレードル
【図１】
2004139387.tif 000003
【図２】
2004139387.tif 000004
【図３】
2004139387.tif 000005
【図４】
2004139387.tif 000006
【図５】
2004139387.tif 000007
【図６】
2004139387.tif 000008
【図７】
2004139387.tif 000009
【図８】
2004139387.tif 000010